(57)【要約】  【課題】  複数の子機のうちの一部の子機による通話を優先させることができるとともに、一部の子機を優先させた状況でも、他の子機による送話を可能とする無線通話システムを提供する。  【解決手段】  無線通話システム（１）は、親機（１００）及び複数の子機（２００ａ）〜（２００ｇ）を含み、送話側の子機と受話側の子機とが親機（１００）を介して無線通話を行なう無線通信システムである。送話側の子機は、送話データを送信し、親機（１００）は、送話側の子機から送信された送話データを受信して、設定された通話モードに従って時分割多元接続方式で前記送話データにスロットを割り当てて、前記送話データを送信する。受話側の子機は、親機（１００）から送信された送話データを受信して、前記送話データを再生する。通話モードには、親機（１００）が、送話側の子機の優先度に応じて、当該送話側の子機の送話データに優先的に一部の前記スロットを割り当てる第１の通話モードが含まれる。【選択図】  図１
2012124546.tif 000002
【特許請求の範囲】
【請求項１】
親機及び複数の子機を含み、送話側の子機と受話側の子機とが親機を介して無線通話を行なう無線通話システムであって、
前記送話側の子機は、送話データを送信し、
前記親機は、前記送話側の子機から送信された送話データを受信して、設定された通話モードに従って時分割多元接続方式で前記送話データにスロットを割り当てて、前記送話データを送信し、
前記受話側の子機は、前記親機から送信された送話データを受信して、前記送話データを再生し、
前記通話モードは、前記親機が、前記送話側の子機の優先度に応じて、当該送話側の子機の送話データに優先的に一部の前記スロットを割り当てる第１の通話モードを含むことを特徴とする無線通話システム。
【請求項２】
前記通話モードは、さらに、前記親機が、前記送話側の子機の優先度に関らず、前記送話側の子機から受信した送話データに前記スロットを割り当てる第２の通話モードを含むことを特徴とする請求項１に記載の無線通話システム。
【請求項３】
前記複数の子機は、前記優先度が高い特定の子機と、前記優先度が低い一般の子機とを含み、
前記親機は、前記通話モードとして前記第１の通話モードが設定されているときに、前記特定の子機の送話データに優先的にスロットを割り当てることを特徴とする請求項１又は２に記載の無線通話システム。
【請求項４】
前記特定の子機は、前記親機に対して優先送話を指示する機能を有し、
前記親機は、前記優先送話の指示に応じて、前記通話モードを前記第１の通話モードに設定することを特徴とする請求項３に記載の無線通話システム。
【請求項５】
前記特定の子機及び前記一般の子機は、前記親機に対して優先送話を指示する機能を有し、
前記親機は、前記優先送話の指示のうち、前記特定の子機から受けた前記優先送話の指示のみに応じて、前記通話モードを前記第１の通話モードに設定することを特徴とする請求項３に記載の無線通話システム。
【請求項６】
前記送話側の子機は、前記送話データとともに、自己を特定する識別情報を送信し、
前記親機は、いずれの子機がいずれの子機に対して送話可能であるかを規定する拡声ルーティングテーブルを、前記第１の通話モード及び前記第２の通話モードのそれぞれについて有し、前記送話側の子機から前記送話データとともに送信された前記識別情報に基づいて、当該送話データを送信した子機を特定し、設定された通話モードに対応する前記拡声ルーティングテーブルに従って、前記特定された子機の送話データにスロットを割り当てることを特徴とする請求項１乃至５のいずれかに記載の無線通話システム。
【請求項７】
前記拡声ルーティングテーブルは、書き換え可能であることを特徴とする請求項６に記載の無線通話システム。
【請求項８】
前記親機は、時分割多元接続／時分割複信方式で、１つのチャンネルを利用して、前記子機との間で前記送話データを送受信することを特徴とする請求項１乃至７のいずれかに記載の無線通話システム。
【請求項９】
送話側の子機と受話側の子機とが親機を介して無線通話を行なう無線通話システムに用いられる親機であって、
前記送話側の子機から送信された送話データを受信する受信部と、
通話モードを設定する制御部と、
前記制御部にて設定された前記通話モードに従って、時分割多元接続方式で前記送話データにスロットを割り当てて、前記受話側の子機に送信する送話データを生成するマルチプレクサと、
前記マルチプレクサにて生成された前記送話データを送信する送信部とを備え、
前記通話モードは、前記送話側の子機の優先度に応じて、当該送話側の子機の送話データに優先的に一部の前記スロットを割り当てる第１の通話モードを含むことを特徴とする親機。
【請求項１０】
送話側の子機が、設定された通話モードに従って時分割多元接続方式で前記送話側の子機から送信された送話データにスロットを割り当てて前記送話データを送信する親機を介して、受話側の子機と無線通話を行なう無線通話システムに用いられる子機であって、
前記送話側の子機の優先度に応じて、当該送話側の子機の送話データに優先的に一部の前記スロットを割り当てる第１の通話モードを前記親機が通話モードとして設定するための優先送話の指示を入力する通話モード指示操作部と、
前記優先送話の指示を送信する送信部と、
を備えたことを特徴とする子機。
【請求項１１】
親機及び複数の子機を含み、送話側の子機と受話側の子機とが親機を介して無線通話を行なう無線通話システムにおいて、前記親機にて送話データの中継を行う送話データ中継方法であって、
前記送話側の子機から送信された送話データを受信するステップと、
設定された通話モードに従って時分割多元接続方式で前記送話データにスロットを割り当てて、前記受信側の子機に送信する送話データを生成するステップと、
前記送話データを送信するステップとを含み、
前記通話モードは、前記送話側の子機の優先度に応じて、当該送話側の子機の送話データに優先的に一部の前記スロットを割り当てる第１の通話モードを含むことを特徴とする送話データ中継方法。
【発明の詳細な説明】
【技術分野】
【０００１】
本発明は、無線通話システム及び送話データ中継方法に関し、特に、複数の子機が親機を介して互いに無線通話を行なう無線通話システム、及びその無線通話システムの親機にて実行される送話データ中継方法に関するものである。
【背景技術】
【０００２】
無線通話システムとして、複数の子機と親機を備え、各子機が親機を介して他の子機と無線通話を行なう無線通話システムが知られている。このような無線通話システムは、例えば飲食店における無線通話システムとして応用される。以下、この種の無線通話システムが飲食店、特にドライブスルーを備えたファストフード店で用いられる場合を例に、従来の無線通話システムを説明する。
【０００３】
この種の無線通話システムがファストフード店で用いられる場合には、親機が店内の適当な箇所（例えば、注文カウンタ付近）に設置される。子機には、マネージャ（店長）、サブマネージャ（副店長）、クラーク（一般店員）を含むスタッフが携帯する携帯型インターカムとしての子機、注文確認用ディスプレイ（Confirmation Order Display：ＣＯＤ）を含むドライブスルーシステムの一部としての子機、電話機に接続される子機、キッチン内に設置される子機等が含まれる。
【０００４】
無線通話システムには、通話モードとして、通常モードとマネージャモードがある。通常モードでは、送話をする子機に対して、その都度チャンネルが割り当てられる。複数のチャンネルが用意されている場合には、複数の子機が同時に送話できる。例えば、複数のクラークが同時にキッチンと通話できる。
【０００５】
但し、無線送話システムにおいて割り当て可能なチャンネル数には、限度がある。従って、通常モードでは、マネージャが、他のスタッフに緊急に連絡をしたい場合にも、用意されているすべてのチャンネルが既に他の子機の送話に使用されており、割り当て可能なチャンネルがなければ、マネージャから他のスタッフへの緊急の送話はできないことになる。
【０００６】
これに対して、マネージャモードでは、他のスタッフが送話中であった場合にも、強制的にマネージャの音声に切り替えられて、他の子機は一切送話できないようになり、マネージャの音声が他の子機に一方的に放送（通報）される。よって、マネージャモードでは、マネージャは緊急の連絡を確実に他のスタッフに伝えることができる。
【０００７】
図１１は、従来の無線通話システムでの送話の際のパケット構成を示す図である。図１１を参照して、従来の無線通話システムにおける通常モードとマネージャモードを説明する。図１１において、（ａ）は通常モードの場合のパケット構成を示し、（ｂ）はマネージャモードの場合のパケット構成を示している。いずれのモードでも、時分割複信（ＴＤＤ）方式でパケット通信が行なわれる。利用可能なチャンネル数（周波数帯域数）は、２つであるとする。
【０００８】
図１１（ａ）の例では、通常モードで、クラーク１とクラーク２がそれぞれキッチンと通話をしている。クラーク１の通話には、チャンネル１（ｆ１ＭＨｚ）が割り当てられ、クラーク２の通話には、チャンネル２（ｆ２ＭＨｚ）が割り当てられている。図１１（ａ）は、用意された２つのチャンネルがすべてクラークによって使用されている状況を示している。
【０００９】
このような状況で、マネージャがスタッフに対して緊急に送話をしたい場合は、マネージャは、親機を操作することで、通話モードをマネージャモードに設定する。無線通話システムがマネージャモードになると、図１１（ｂ）に示すように、クラーク１の通話は強制的に終了させられ、クラーク１が使用していたチャンネル１の下りスロットは、強制的にマネージャによって専有される。また、チャンネル２を使用して行なわれていたクラーク２の通話も強制的に終了させられ、クラーク２が使用していたチャンネル２は強制的にチャンネル１に切り替えられる。
【００１０】
本願発明に関連する技術として、特許文献１及び特許文献２がある。
【先行技術文献】
【特許文献】
【００１１】
【特許文献１】特開平６−２６０９９２号公報
【特許文献２】特開２００６−１４０５５５号公報
【発明の概要】
【発明が解決しようとする課題】
【００１２】
従来の通信システムでは、マネージャからの緊急の送話を確保するために通話モードをマネージャモードに設定すると、マネージャの送話が強制的にチャンネルを専有する。従って、通常モードでクラークがキッチンへ送話している最中に通話モードがマネージャモードに切り替わると、クラークからキッチンへの送話が強制的に終了してしまうという課題があった。また、マネージャモードが選択されているときには、他のスタッフからは送話ができないという課題もあった。
【００１３】
本発明は、上記課題を解決するためになされたものであり、親機と複数の子機を備え、各子機が親機を介して他の子機と無線通話を行なう無線通話システムにおいて、一部の子機（例えば、飲食店においてマネージャが携帯する子機）による送話を優先させることができるとともに、一部の子機を優先させた状況でも、他の子機による送話を可能とする無線通話システムを提供することを目的とする。
【課題を解決するための手段】
【００１４】
上記の従来の課題を解決するために、本発明の無線通話システムは、親機及び複数の子機を含み、送話側の子機と受話側の子機とが親機を介して無線通話を行なう無線通話システムであって、送話側の子機は、送話データを送信し、親機は、送話側の子機から送信された送話データを受信して、設定された通話モードに従って時分割多元接続方式で送話データにスロットを割り当てて、送話データを送信し、受話側の子機は、親機から送信された送話データを受信して、送話データを再生し、通話モードは、親機が、送話側の子機の優先度に応じて、当該送話側の子機の送話データに優先的に一部のスロットを割り当てる第１の通話モードを含む構成を有している。
【００１５】
本発明の別の態様は、送話側の子機と受話側の子機とが親機を介して無線通話を行なう無線通話システムに用いられる親機であって、送話側の子機から送信された送話データを受信する受信部と、通話モードを設定する制御部と、制御部にて設定された通話モードに従って、時分割多元接続方式で送話データにスロットを割り当てて、受話側の子機に送信する送話データを生成するマルチプレクサと、前記マルチプレクサにて生成された送話データを送信する送信部とを備え、通話モードは、送話側の子機の優先度に応じて、当該送話側の子機の送話データに優先的に一部のスロットを割り当てる第１の通話モードを含む構成を有している。
【００１６】
本発明のさらに別の態様は、送話側の子機が、設定された通話モードに従って時分割多元接続方式で送話側の子機から送信された送話データにスロットを割り当てて送話データを送信する親機を介して、受話側の子機と無線通話を行なう無線通話システムに用いられる子機であって、送話側の子機の優先度に応じて、当該送話側の子機の送話データに優先的に一部のスロットを割り当てる第１の通話モードを親機が通話モードとして設定するための優先送話の指示を入力する通話モード指示操作部と、優先送話の指示を送信する送信部とを備えた構成を有している。
【００１７】
本発明のさらに別の態様は、親機及び複数の子機を含み、送話側の子機と受話側の子機とが親機を介して無線通話を行なう無線通話システムにおいて、親機にて送話データの中継を行う送話データ中継方法であって、送話側の子機から送信された送話データを受信するステップと、設定された通話モードに従って時分割多元接続方式で送話データにスロットを割り当てて、受信側の子機に送信する送話データを生成するステップと、送話データを送信するステップとを含み、通話モードは、送話側の子機の優先度に応じて、当該送話側の子機の送話データに優先的に一部のスロットを割り当てる第１の通話モードを含む構成を有している。
【発明の効果】
【００１８】
本発明は、親機が時分割多元接続方式を採用して、第１の通話モードにおいて、送話側の子機の優先度に応じて、当該送話側の子機の送話データに優先的に一部のスロットを割り当てるので、親機は優先度の高い子機の送話データを確実に送信できるとともに、その他のスロットを用いて、優先度の低い子機も通話が可能になる。
【００１９】
以下に説明するように、本発明には他の態様が存在する。したがって、この発明の開示は、本発明の一部の提供を意図しており、ここで記述され請求される発明の範囲を制限することは意図していない。
【図面の簡単な説明】
【００２０】
【図１】図１（ａ）は、本発明の実施の形態の無線通話システムにおけるＴＡＬＫモードのパケット構成を示す図  図１（ｂ）は、本発明の実施の形態の無線通話システムにおけるＰＡＧＥモードのパケット構成を示す図
【図２】図２は、本発明の実施の形態における無線通話システムの全体構成を示す図
【図３】図３は、本発明の実施の形態におけるマネージャ用子機及びサブマネージャ用子機の構成図
【図４】図４は、本発明の実施の形態におけるクラーク用子機の構成図
【図５】図５は、本発明の実施の形態における外線電話用子機の構成図
【図６】図６は、本発明の実施の形態におけるキッチン用子機の構成図
【図７】図７は、本発明の実施の形態におけるドライブスルー用子機の構成図
【図８】図８は、本発明の実施の形態における親機の構成図
【図９】図９は、本発明の実施の形態におけるＴＡＬＫモードの拡声ルーティングテーブルを示す図
【図１０】図１０は、本発明の実施の形態におけるＰＡＧＥモードの拡声ルーティングテーブルを示す図
【図１１】図１１（ａ）は、従来の無線通話システムにおける通常モードのパケット構成を示す図  図１１（ｂ）は、従来の無線通話システムにおけるマネージャモードのパケット構成を示す図
【発明を実施するための形態】
【００２１】
以下に、本発明の詳細な説明を述べる。以下に説明する実施の形態は本発明の単なる例であり、本発明は様々な態様に変形することができる。従って、以下に開示する特定の構成および機能は、特許請求の範囲を限定するものではない。  
【００２２】
本発明の実施の形態の無線通話システムは、親機及び複数の子機を含み、送話側の子機と受話側の子機とが親機を介して無線通話を行なう無線通話システムである。送話側の子機は、送話データを送信する。親機は、送話側の子機から送信された送話データを受信して、設定された通話モードに従って時分割多元接続方式で送話データにスロットを割り当てて、送話データを送信する。受話側の子機は、親機から送信された送話データを受信して、送話データを再生する。通話モードは、親機が、送話側の子機の優先度に応じて、当該送話側の子機の送話データに優先的に一部のスロットを割り当てる第１の通話モードを含む構成を有している。
【００２３】
この構成により、親機が時分割多元接続方式を採用して、第１の通話モードにおいて、送話側の子機の優先度に応じて、当該送話側の子機の送話データに優先的に一部のスロットを割り当てるので、親機は優先度の高い子機の送話データを確実に送信できるとともに、その他のスロットを用いて、優先度の低い子機も通話が可能になる。よって、例えば、無線通話システムがレストランに応用される場合において、権限を有する者（例えば、レストランのマネージャ）が優先度の高い子機を使用することで、第１の通信モードでは、当該権限を有する者の送話データが優先的に他の子機に送信されるとともに、空いているスロットを用いて、他の者（例えば、レストランのクラーク）が使用する子機からの送話も同時に実現できる。
【００２４】
上記の無線通話システムにおいて、通話モードは、さらに、親機が、前記送話側の子機の優先度に関らず、送話側の子機から受信した送話データにスロットを割り当てる第２の通話モードを含んでよい。
【００２５】
この構成により、第２の通話モードでは、優先度の高い子機の送話データにも、優先度の低い子機の送話データにも同等の優先度で（いずれも優先することなく）、スロットを割り当てることができる。
【００２６】
上記の無線通話システムにおいて、複数の子機は、優先度が高い特定の子機と、優先度が低い一般の子機とを含んでよい。親機は、通話モードとして第１の通話モードが設定されているときに、特定の子機の送話データに優先的にスロットを割り当ててよい。
【００２７】
この構成により、親機は、複数の子機を特定の子機と一般の子機とに分けて管理し、第１の通話モードにおいて、特定の子機の送話データに優先的にスロットが割り当てることができる。例えば、無線通話システムがレストランに応用される場合には、レストランのマネージャやサブマネージャ等の権限を有する者が使用する子機を優先度の高い特定の子機とし、それ以外の子機（例えば、クラークが使用する子機）を優先度の低い一般の子機とすることができる。
【００２８】
上記の無線通話システムにおいて、特定の子機は、親機に対して優先送話を指示する機能を有していてよい。この場合、親機は、優先送話の指示に応じて、通話モードを第１の通話モードに設定してよい。
【００２９】
この構成により、高い優先度が与えられた特定の子機から、通話モードを第１通話モードとして、自己の送話データを優先して親機から子機に送信することを指示することができる。よって、権限を有する者（例えば、無線通話システムがレストランに応用される場合のレストランのマネージャ）が特定の子機を使用することで、当該権限を有する者が強制的に他の子機（例えば、無線通話システムがレストランに応用される場合のレストランのクラーク）に対して送話することができる。
【００３０】
上記の無線通話システムにおいて、特定の子機及び一般の子機のいずれもが、親機に対して優先送話を指示する機能を有してもよい。この場合、親機は、優先送話の指示のうち、特定の子機から受けた優先送話の指示のみに応じて、通話モードを第１の通話モードに設定してよい。
【００３１】
この構成により、特定の子機と一般の子機を同一の構成とすることができ、複数の子機のうちの任意の子機を特定の子機又は一般の子機とすることができる。
【００３２】
上記の無線通話システムにおいて、送話側の子機は、送話データとともに、自己を特定する識別情報を送信してよい。親機は、いずれの子機がいずれの子機に対して送話可能であるかを規定する拡声ルーティングテーブルを、第１の通話モード及び第２の通話モードのそれぞれについて有し、送話側の子機から送話データとともに送信された識別情報に基づいて、当該送話データを送信した子機を特定し、設定された通話モードに対応する拡声ルーティングテーブルに従って、特定された子機の送話データにスロットを割り当ててよい。
【００３３】
この構成により、第１の通信モードにて考慮する優先度を親機側で管理することができ、また、その管理もテーブルに従って拡声ルーティングを決定するという簡単な方法で実現できる。
【００３４】
上記の無線通話システムにおいて、拡声ルーティングテーブルは、書き換え可能であってよい。
【００３５】
この構成により、拡声ルーティングテーブルを書き換えることで、いずれの子機をいずれの子機より優先させるかを臨機応変に設定できる。これにより、上記のように複数の子機の各々について特定の子機とするか一般の子機とするかを任意に設定した場合にも、第１の通話モードにおいて特定の子機の送話データを優先的にスロットに割り当てるような拡声ルーティングテーブルを実現できる。
【００３６】
上記の無線通話システムにおいて、親機は、時分割多元接続／時分割複信方式で、１つのチャンネルを利用して、子機との間で送話データを送受信してよい。
【００３７】
この構成により、１つのチャンネルのみを利用して、複数の子機と親機との間の送受信を行なうことができる。
【００３８】
本実施の形態の親機は、送話側の子機と受話側の子機とが親機を介して無線通話を行なう無線通話システムに用いられる親機であって、送話側の子機から送信された送話データを受信する受信部と、通話モードを設定する制御部と、制御部にて設定された通話モードに従って、時分割多元接続方式で送話データにスロットを割り当てて、受話側の子機に送信する送話データを生成するマルチプレクサと、送話データを送信する送信部とを備えた構成を有している。通話モードは、送話側の子機の優先度に応じて、当該送話側の子機の送話データに優先的に一部のスロットを割り当てる第１の通話モードを含む構成を有している。
【００３９】
この構成によっても、時分割多元接続方式を採用して、第１の通話モードにおいて、送話側の子機の優先度に応じて、当該送話側の子機の送話データに優先的に一部のスロットを割り当てるので、優先度の高い子機の送話データを確実に送信できるとともに、その他のスロットを用いて、優先度の低い子機も通話が可能になる。
【００４０】
本実施の形態の子機は、送話側の子機が、設定された通話モードに従って時分割多元接続方式で送話側の子機から送信された送話データにスロットを割り当てて送話データを送信する親機を介して、受話側の子機と無線通話を行なう無線通話システムに用いられる子機であって、送話側の子機の優先度に応じて、当該送話側の子機の送話データに優先的に一部のスロットを割り当てる第１の通話モードを親機が通話モードとして設定するための優先送話の指示を入力する通話モード指示操作部と、優先送話の指示を送信する送信部とを備えた構成を有している。
【００４１】
この構成により、子機から親機に対して、第１の通信モードの設定を指示できる。
【００４２】
本実施の形態の送話データ中継方法は、親機及び複数の子機を含み、送話側の子機と受話側の子機とが親機を介して無線通話を行なう無線通話システムにおいて、親機にて送話データの中継を行う送話データ中継方法であって、送話側の子機から送信された送話データを受信するステップと、設定された通話モードに従って時分割多元接続方式で送話データにスロットを割り当てて、受信側の子機に送信する送話データを生成するステップと、送話データを送信するステップとを含む。通話モードは、送話側の子機の優先度に応じて、当該送話側の子機の送話データに優先的に一部のスロットを割り当てる第１の通話モードを含む。
【００４３】
この構成によっても、親機にて時分割多元接続方式を採用して、第１の通話モードにおいて、送話側の子機の優先度に応じて、当該送話側の子機の送話データに優先的に一部のスロットを割り当てるので、親機から優先度の高い子機の送話データを確実に送信できるとともに、その他のスロットを用いて、優先度の低い子機も通話が可能になる。
【００４４】
以下、本発明を実施するための形態について、図面を参照しながら説明する。以下では、本発明の無線通話システムが、飲食店、特に、ドライブスルーを備えたファストフード店で利用される場合を例にとって説明するが、本発明の無線通話システムは、飲食店以外にも、例えば娯楽施設、災害救助現場等の他の状況でも応用され得る。
【００４５】
図２は、本発明の実施の形態における無線通話システムの構成図である。図２において、無線通話システム１は、親機１００と複数の子機２００ａ〜２００ｇを含んで構成される。親機１００と各子機２００ａ〜２００ｇとの間は、無線で送話データが送受信される。即ち、各子機２００ａ〜２００ｇ同士の間の無線通話は、親機１００を介して行なわれる。親機１００は、子機２００ａ〜２００ｇからの無線電波が届く位置に設置される。親機１００は、例えば、ファストフード店では、注文カウンタ付近に設置されてよい。
【００４６】
図２左側に示す４つの子機２００ａ〜２００ｄは、子機本体２００ａ１〜２００ｄ１とヘッドセット２００ａ２〜２００ｄ２からなる携帯型のインターカムである。子機本体２００ａ１〜２００ｄ１は、ホルダに入れられて使用者の腰部に装着される。ヘッドセット２００ａ２〜２００ｄ２は、使用者の頭部に装着可能な構成を有し、スピーカ（イヤホン）とマイクを備えている。子機２００ａはマネージャ用子機であり、子機２００ｂはサブマネージャ用子機であり、子機２００ｃはクラーク１用子機であり、子機２００ｄはクラーク２用子機である。
【００４７】
子機２００ｅは、外線電話用子機である。外線電話用子機２００ｅは電話機に接続されている。外線電話用子機２００ｅは、他の子機から受けた音声を電話の相手へ送信するために、当該音声を電話機に入力する。外線電話用子機２００ｅは、電話機が電話の相手から受けた音声を、電話機から取り出して他の子機に送る。なお、外線電話用子機２００ｅは、電話機に組み込まれていてもよい。
【００４８】
子機２００ｆは、キッチン用子機である。他のスタッフ用の子機２００ａ〜２００ｄとは異なり、子機２００ｆは、キッチンの適当な箇所に設置される。これは、キッチンのスタッフがヘッドセットをすることは衛生上好ましくないからである。子機２００ｆは、スピーカとマイクを含む構成を有してもよいし、スピーカを含むがマイクを含まない（音声出力のみの）構成であってもよい。
【００４９】
子機２００ｇは、ドライブスルー用子機である。ドライブスルー用子機２００ｇは、ドライブスルーシステムの一部であり、ドライブスルー利用客がマイクに音声を入力できるように、店舗外側のドライブスルー接客（注文）場所に設置される。なお、本実施の形態の説明において、ドライブスルーシステムは、注文確認用ディスプレイ、カメラ、スピーカ、車両センサ等を含んで構成される。
【００５０】
以下、図３〜図７を参照して、各子機２００ａ〜２００ｇの構成を説明する。各子機２００ａ〜２００ｇの説明において、同一の構成については、同一の符号を付して、重複する説明は適宜省略する。
【００５１】
図３は、本発明の実施の形態におけるマネージャ用子機及びサブマネージャ用子機の構成図である。マネージャ用子機２００ａ及びサブマネージャ用子機２００ｂは、同じ構成を有している。マネージャ用子機２００ａ、サブマネージャ用子機２００ｂは、それぞれ子機本体２００ａ１、２００ｂ１とヘッドセット２００ａ２、２００ｂ２とが接続されてなる。
【００５２】
子機本体２００ａ１、２００ｂ１は、送信部２０１、受信部２０２、パケット生成部２０３、メモリ２０４、デマルチプレクサ２０５、符号化部２０６、制御部２０７、及び復号化部２０８を備えている。ヘッドセット２００ａ２、２００ｂ２は、マイク２０９、送話ボタン２１０、優先送話ボタン２１１、及びスピーカ（イヤホン）２１２を備えている。
【００５３】
子機２００ａ、２００ｂは、送話ボタン２１０又は優先送話ボタン２１１がオンになった状態で送話が可能になる。送話ボタン２１０と優先送話ボタン２１１は、いずれか一方がオンであるときに他方がオフになるようにして、両者が同時にオンにならないように構成されてもよいし、両者が同時にオンになり得るように構成されてもよい。また、送話ボタン２１０や優先送話ボタン２１１は、使用者が手で押下しているときだけオンの状態を保ち、使用者が手を離すとオフになるよう構成されてもよいし、使用者が一度操作するとオンの状態になり、使用者がオフにする操作をするまでオンの状態を維持するよう構成されてもよい。優先送話ボタン２１１は、本発明の「通話モード指示操作部」に相当する。
【００５４】
送話ボタン２１０及び優先送話ボタン２１１は、制御部２０７に対して、オンの状態であることを示す信号を出力する。制御部２０７は、送話ボタン２１０及び優先送話ボタン２１１のいずれかがオンであるときに送話のための制御を行う。また、制御部２０７は、送話ボタン２１０のオン／オフ状態及び緊急ボタン２１１のオン／オフ状態を示すボタン状態情報をパケット生成部２０３に出力する。メモリ２０４には、自己のＩＤ情報が記憶されている。このボタン状態情報は、本発明の「優先送信の指示」に相当する。
【００５５】
マイク２０９は、使用者の音声を電気信号に変換する。符号化部２０６は、マイク２０９から入力された音声を符号化して音声データを生成する。パケット生成部２０３は、符号化された音声データと制御データとを含む送話データのパケットを生成する。制御データには、メモリ２０４から読み出した自己を特定する識別情報（以下、「ＩＤ情報」という）、及びボタン状態情報（送話ボタン２１０のオン／オフ状態及び優先送話ボタン２１１のオン／オフ状態の情報）が含まれる。送信部２０１は、生成された送話データのパケットを送信する。このボタン状態情報に優先送話ボタン２１１がオンであるという情報が含まれる場合は、ボタン状態情報は、本発明の「優先送信の指示」に相当する。
【００５６】
受信部２０２は、親機１００から送信された送話データを受信して、これを再生する。後述するように、親機１００は、送話データのパケットを時分割多元接続／時分割複信（ＴＤＭＡ／ＴＤＤ）方式で各子機２００ａ〜２００ｇと無線通信を行う。デマルチプレクサ（ＤＥＭＵＸ）２０５は、メモリ２０４に記憶されている自己のＩＤ情報を参照して、受信した送話データに含まれる自分宛のパケット（宛先として指定されているＩＤ情報が自己のＩＤ情報と一致するパケット）を取り出して、復号化部２０８に出力する。復号化部２０８は、送話データを復号化し、制御データは制御部２０７に、音声データはスピーカに２１２に出力する。スピーカ２１２は、音声データを音声に変換して出力する。
【００５７】
図４は、本発明の実施の形態におけるクラーク用１子機及びクラーク２用子機の構成図である。クラーク１用子機２００ｃ、クラーク２用子機２００ｄは、マネージャ用子機２００ａ及びサブマネージャ用子機２００ｂと同様にそれぞれ、子機本体２００ｃ１、２００ｄ１と、ヘッドセット２００ｃ１、２００ｄ２とからなる。クラーク１用子機２００ｃとクラーク２用子機２００ｄとは同じ構成を有している。
【００５８】
クラーク１用子機２００ｃ及びクラーク２用子機２００ｄは、マネージャ用子機２００ａ及びサブマネージャ用子機２００ｂと比較すると、優先送話ボタン２１１を備えていない。後述するように、クラーク１用子機２００ｃ及びクラーク２用子機２００ｄは、優先送話をすることが許されていないからである。クラーク１用子機２００ｃ及びクラーク２用子機２００ｄにおけるその他の構成は、マネージャ用子機２００ａ及びサブマネージャ用子機２００ｂと同じである。
【００５９】
図５は、本発明の実施の形態における外線電話用子機の構成図である。外線電話用子機２００ｅは、上述の子機２００ａ〜２００ｄと比較すると、子機本体とヘッドセットに分かれておらず、一体的に構成されている。構成要素は、子機２００ａ〜２００ｄと同様であるが、送話ボタン２１０及び優先送話ボタン２１１を備えていない。また、マイク２０９の代わりに、音声入力部２１３を備えており、スピーカ２１２の代わりに、音声出力部２１４を備えている。
【００６０】
音声入力部２１３は、電話機の音声出力部に接続されて、電話機の音声出力部から出力された外線電話の相手からの音声を入力する。音声出力部２１４は、電話機の音声出力部に接続されて、復号化部２０８で復号化された音声データを電話機の音声入力部に出力する。制御部２０７は、電話機の制御部に接続されている。
【００６１】
外線電話がかかってきたときは、制御部２０７が電話機の制御部を制御して外線電話を受けるとともに、符号化部２０６や復号化部２０８の制御を開始してもよいし、電話機の制御部が外線電話を受けたことを制御部２０７に通知して、制御部２０７がこの通知に応じて符号化部２０６や復号化部２０８の制御を開始してもよい。外線電話用子機２００ｅのその他の構成は、子機２００ａ〜２００ｄと同じである。なお、図５では、電話機に接続されるタイプの外線電話用子機２００ｅを示しているが、上述のように、外線電話用子機２００ｅは、電話機に内蔵されていてもよい。
【００６２】
図６は、本発明の実施の形態におけるキッチン用子機の構成図である。キッチン用子機２００ｆも、外線電話用子機２００ｅと同様に、一体的に構成される。キッチン用子機２００ｆの構成要素は、クラーク１用子機２００ｃ及びクラーク２用子機２００ｄと同じである。なお、上述のように、キッチン用子機２００ｆは、キッチンのスタッフの音声を入力する機能を備えていなくてもよい。その場合には、送話ボタン２１０、マイク２０９、符号化部２０６、パケット生成部２０３、及び送信部２０１の構成を省略できる。
【００６３】
図７は、本発明の実施の形態におけるドライブスルー用子機の構成図である。ドライブスルー用子機２００ｇは、送信部２０１、パケット生成部２０３、メモリ２０４、符号化部２０６、制御部２０７、及びマイク２０９を備えている。ドライブスルー用子機２００ｇは、音声を出力する機能を備えていない。
【００６４】
ドライブスルー用子機２００ｇは、送信ボタン２１０も備えていない。制御部２０７には、ドライブスルーシステムの車両センサが接続される。ドライブスルーシステムの車両センサが車両を検知すると、制御部２０７に検知信号を送られ、制御部２０７はこの検知信号に基づいて、マイク２０９、符号化部２０６等の音声を入力する機能を起動する。
【００６５】
なお、ドライブスルーシステムは、店内でドライブスルー利用客に対する接客をするクラークが使用するマイクと、当該マイクに接続されてドライブスルー利用客に向けられたスピーカを備えていてもよい。但し、このマイクとスピーカは、無線通話システム１の一部としてではなく、無線通話システム１とは別のシステムとして構成される。これは、マネージャやキッチンのスタッフを含む任意のスタッフがドライブスルーの利用客に対して送話をできるようにする必要はないからである。なお、無線通話システム１にドライブスルー用子機２００ｇを含めるのは、無線通話システム１を利用して、ドライブスルー利用客の音声を、ドライブスルー利用客に対して直接接客をするクラークだけでなく、キッチンのスタッフ等の他のスタッフも聞くことができるようにするためである。
【００６６】
図８は、本発明の実施の形態における親機の構成図である。親機１００は、送信部１０１、受信部１０２、マルチプレクサ１０３、制御部１０４、及びメモリ１０５を備えている。受信部１０２は、子機２００ａ〜２００ｇから無線で送信された送話データを受信する。上述のように、子機２００ａ〜２００ｇから送られてくる送話データには、音声データと制御データが含まれる。
【００６７】
また、マネージャ用子機２００ａ及びサブマネージャ用子機２００ｂから送られてくる送話データ中の制御データには、送話ボタン２１０及び優先送話ボタン２１１のオン／オフ状態を示すボタン状態情報が含まれる。制御部２０４は、この制御情報を受け取って、緊急ボタン２１１のオン／オフ状態に応じて、通話モードを設定する。通話モードには、ＴＡＬＫモードとＰＡＧＥモードがある。
【００６８】
メモリ１０５は、ＴＡＬＫモードとＰＡＧＥモードのそれぞれの拡声ルーティングテーブルを記憶している。制御部１０４は、設定された通話モードに対応する拡声ルーティングテーブルをメモリ１０５から読み出して、読み出した拡声ルーティングテーブルに従って、マルチプレクサ１０３を制御する。
【００６９】
マルチプレクサ１０３は、制御部１０４による制御の下、受信部１０２で受信した送話データ中の音声データを用いて各子機に送信する送話データを生成する。マルチプレクサ１０３は、親機１００と子機２００ａ〜２００ｇとが時分割多元接続／時分割複信（ＴＤＭＡ／ＴＤＤ）方式で無線通信を行うために、受信部１０２にて各子機２００ａ〜２００ｇから受信した音声データのパケットを１つのチャンネル内の音声スロットに割り当てる。送信部１０１は、マルチプレクサ１０３にて生成された送話データのパケットを送信する。
【００７０】
以下、親機１００にて設定されるＴＡＬＫモードとＰＡＧＥモードについて説明する。ＴＡＬＫモードは、各子機２００ａ〜２００ｇが、空いているスロットを利用して、自由に送話をすることができるモードである。ＰＡＧＥモードは、特定の子機であるマネージャ用子機２００ａ及びサブマネージャ２００ｂが優先的にスロットを確保できるとともに、一般の子機であるその他の子機が空いているスロットを利用して、自由に送話できるモードである。ＴＡＬＫモードは、本発明の「第２の通話モード」に相当し、ＰＡＧＥモードは、本発明の「第１の通話モード」に相当する。
【００７１】
通常は、ＴＡＬＫモードで子機間の通話が行われる。マネージャ用子機２００ａ又はサブマネージャ用子機２００ｂにて優先送話ボタン２１１がオンになることで、通信モードがＴＡＬＫモードからＰＡＧＥモードに切り替えられる。具体的には、マネージャ用子機２００ａ又はサブマネージャ用子機２００ｂにて優先送話ボタン２１１がオンになると、制御部２０７は、優先送話ボタン２１１がオンであることを示すボタン状態情報を、優先送話の指示として、パケット生成部２０３に出力し、パケット生成部２０３は優先送話ボタン２１１がオンであることを示すボタン状態情報を含む送話データのパケットを生成して、送信部２０１が生成された送話データのパケットを送信する。
【００７２】
親機１００では、受信部１０２にて送話データを受信し、制御データを制御部１０４に出力する。制御部１０４は、制御データ中に優先送話ボタン２１１がオンであることを示すボタン状態情報が含まれていると、通話モードをＴＡＬＫモードからＰＡＧＥモードに切り替える。制御部１０４は、ＴＡＬＫモード及びＰＡＧＥモードのそれぞれにおいて、メモリ１０５から当該通話モードに対応する拡声ルーティングテーブルを読み出して、読み出したテーブルに従って送話データを生成するようマルチプレクサ１０３を制御する。
【００７３】
図９は、本発明の実施の形態におけるＴＡＬＫモードの拡声ルーティングテーブルを示す図であり、図１０は、本発明の実施の形態におけるＰＡＧＥモードの拡声ルーティングテーブルを示す図である。拡声ルーティングテーブルは、送話側の各子機が、いずれの受話側子機に対して送話可能であるかを規定している。いずれの送話側子機がいずれの受話側子機に対して送話可能であるかは、送話側及び受話側の子機の属性に応じて異なる。即ち、親機１００は、子機の属性に応じて、いずれの送話側子機がいずれの受話側子機に対して送話可能であるかを管理している。子機の属性は、制御データに含まれる送話側子機のＩＤ情報に基づいて判断する。
【００７４】
図９、１０において、「○」は送話側子機から送られてきた送話データを優先的に受話側子機にて出力可能であることを意味し、「×」は送話側子機から送られてきた送話データを受話側子機にて出力しないことを意味し、「−」は自らの送話データを出力しない、又は受話側子機に音声出力機能を有しない（即ち、送話側子機から送られてきた送話データを受話側子機にて出力しない）ことを意味し、「○／×」は送話側子機にて送話トリガが発生したときに、送話側子機から送られてきた送話データを受話側子機にて出力することを意味する。送話トリガとは、マネージャ用子機２００ａ、サブマネージャ用子機２００ｂ、クラーク１用子機２００ｃ、クラーク２用子機２００ｄ、及びキッチン用子機２００ｆについては、送話ボタン２１０がオンになることであり、外線電話用子機２００ｅについては、外線電話を受けることであり、ドライブスルー用子機２００ｇについては、ドライブスルーシステムの車両センサから車両を検知したことを示す信号を受けることである。
【００７５】
図９に示すように、ＴＡＬＫモードでは、送話ボタン２１０がオンの状態でマネージャ用子機２００ａ（ＭＧ）、サブマネージャ用子機２００ｂ（ＳＭＧ）、クラーク１用子機２００ｃ（ＣＬ１）、及びクラーク２用子機２００ｄ（ＣＬ２）から送信された送話データを、外線電話用子機２００ｅ（ＴＥＬ）、及びキッチン用子機２００ｆ（ＫＴＮ）にて出力可能である。外線電話用子機２００ｅ（ＴＥＬ）で外線電話を受けた状態で送信された送話データは、外線電話用子機２００ｅ（ＴＥＬ）及びドライブスルー用子機２００ｇ（ＤＲＴ）以外の子機にて出力可能である。
【００７６】
キッチン用子機２００ｆ（ＫＴＮ）から送話ボタン２１０がオンの状態で送信された送話データは、外線電話用子機２００ｅ（ＴＥＬ）にて出力可能である。車両センサが車両を検知した状態でドライブスルー用子機２００ｇ（ＤＲＴ）から送信された送話データは、外線電話用子機２００ｆ（ＫＴＮ）及びドライブスルー用子機２００ｇ（ＤＲＴ）以外で出力可能である。
【００７７】
図１０に示すように、ＰＡＧＥモードでは、マネージャ用子機２００ａ（ＭＧ）から送信された送話データが、サブマネージャ用子機２００ｂ（ＳＭＧ）、クラーク１用子機２００ｃ（ＣＬ１）、クラーク２用子機（ＣＬ２）、及びキッチン用子機２００ｆ（ＫＴＮ）で出力される。また、サブマネージャ用子機２００ｂ（ＳＭＧ）から送信された送話データは、マネージャ用子機２００ａ（ＭＧ）、クラーク１用子機２００ｃ（ＣＬ１）、クラーク２用子機（ＣＬ２）、及びキッチン用子機２００ｆ（ＫＴＮ）で出力される。
【００７８】
ＰＡＧＥモードにおいて、クラーク１用子機２００ｃ（ＣＬ１）及びクラーク２用子機２００ｄ（ＣＬ２）からは、送信ボタン２１０をオンにして送話することで、外線電話用子機２００ｅ（ＴＥＬ）及びキッチン用子機２００ｆ（ＫＴＮ）で送話データを出力可能である。また、外線電話を受けた場合には、外線電話用子機２００ｅ（ＴＥＬ）から送信された送話データをクラーク１用子機２００ｃ（ＣＬ１）、クラーク２用子機２００ｄ（ＣＬ２）、及びキッチン用子機２００ｆ（ＫＴＮ）にて出力可能である。
【００７９】
さらに、キッチン用子機２００ｆ（ＫＴＮ）からは、送話ボタン２１０をオンにして送話することで、クラーク１用子機２００ｃ（ＣＬ１）、クラーク２用子機２００ｄ（ＣＬ２）、及び外線電話用子機２００ｅ（ＴＥＬ）にて送話データを出力できる。また、ドライブスルーシステムの車両センサが車両を検知することで、ドライブスルー用子機２００ｇ（ＤＲＴ）から送信された送話データは、クラーク１用子機２００ｃ（ＣＬ１）、クラーク２用子機２００ｄ（ＣＬ２）、及びキッチン用子機２００ｆ（ＫＴＮ）にて出力可能である。
【００８０】
図１は、本発明の実施の形態におけるパケット構成を示す図であり、（ａ）は、ＴＡＬＫモードの場合のパケット構成を示し、（ｂ）は、ＰＡＧＥモードの場合のパケット構成を示している。上述のように、本実施の形態の無線通話システム１では、親機１００と各子機２００ａ〜２００ｇとの間で、時分割多元接続／時分割複信方式で送話データが送受信される。
【００８１】
図１（ａ）の例では、クラーク１及びクラーク２が同時にキッチンと通話をしている例を示している。図１（ａ）に示すように、ＴＡＬＫモードでは、クラーク１用子機２００ｃから親機１００への上りの送話データ、クラーク２用子機２００ｄから親機１００への上りの送話データ、親機１００からクラーク１用子機２００ｃへの下りの送話データ、及び親機１００からクラーク２用子機２００ｄへの下りの送話データには、１つのチャンネル（チャンネル１）を時間で分割して形成されるスロットのうちの音声スロットが、それぞれ割り当てられる。制御スロットには制御データが割り当てられる。利用されていない音声スロットは空きとなり、別の子機が新たに送話を行った場合に使用に供される。
【００８２】
ＴＡＬＫモードでは、音声スロットの確保優先度は、すべての子機において同じである。例えば、図９に示すように、ＴＡＬＫモードでは、マネージャ用子機２００ａ及びサブマネージャ用子機２００ｂは、クラーク１用子機２００ｃとクラーク２用子機２００ｄと同じ条件で、他の子機に対して送話可能である。即ち、マネージャ用子機２００ａ及びサブマネージャ用子機２００ｂと、クラーク１用子機２００ｃ及びクラーク２用子機２００ｄとで、音声スロットの確保優先度は同じである。このことは、ＴＡＬＫモードでは、マネージャ用子機２００ａ又はサブマネージャ用子機２００ｂであっても、空いている音声スロットがなければ送話ができないことを意味する。
【００８３】
図１（ｂ）は、図１（ａ）に示すＴＡＬＫモードから、マネージャ用子機２００ａにて優先送話ボタン２１１がオンにされることにより、ＰＡＧＥモードになった状態を示している。図１（ｂ）に示すように、ＰＡＧＥモードでは、マネージャ用子機２００ａの送話データに対して、優先的に音声スロットが割り当てられる。しかしながら、この場合にも、空いている音声スロットがある限り、クラーク１用子機やクラーク２用子機、その他子機からの送話は、ＴＡＬＫモードの場合と同様に可能である。
【００８４】
即ち、本実施の形態の無線通話システム１では、親機１００と各子機２００ａ〜２００ｇとの間の無線通信に時分割多元接続方式を採用しているので、１つの子機のみが１つのチャンネルを専有することがない。従って、マネージャ用子機２００ａからの送話を優先した場合にも、他の子機間の通話を中止することなく、維持できる。また、ＰＡＧＥモードにある場合に、音声スロットが空いていれば、さらに他の子機が送話することも可能である。
【００８５】
なお、サブマネージャ用子機２００ｂにて優先送話ボタン２１１がオンにされることにより、ＰＡＧＥモードになった場合も、上記と同様に、サブマネージャ用子機２００ｂからの送話データに優先的に音声スロットが割り当てられ、他の空いている音声スロットは他の子機が使用可能である。マネージャ用子機２００ａ及びサブマネージャ用子機２００ｂのいずれか一方がＰＡＧＥモードで優先的に音声スロットを利用している場合には、マネージャ用子機２００ａ及びサブマネージャ用子機２００ｂの他方は、クラーク１用子機２００ｃやクラーク２用子機２００ｄ等と同様に、音声スロットが空いている限りにおいて、送話が可能である。
【００８６】
以上のように、本実施の形態の無線通話システム１は、親機１００が通話モードに応じて拡声ルーティングテーブルを選択し、選択した拡声ルーティングテーブルに基づいて、子機の属性に応じて送話データを出力可能な子機を決定する。例えば、ＴＡＬＫモードでは、上記の例のように、親機１００の制御部１０４は、メモリ１０５から図９に示すＴＡＬＫモードの拡声ルーティングテーブルを読み出して、その拡声ルーティングテーブルに従って、送話側子機が、マネージャ用子機２００ａであるか、サブマネージャ用子機２００ｂであるか、クラーク１用子機２００ｃであるか、クラーク２用子機２００ｄであるか、外線電話用子機２００ｅであるか、キッチン用子機２００ｆであるか、ドライブスルー用子機２００ｇであるかに応じて、どの受話側子機で送話データを出力可能とするかを決定する。
【００８７】
また、本実施の形態の無線通話システム１は、親機１００と各子機２００ａ〜２００ｇとの間の無線通信に時分割多元接続／時分割複信方式を採用し、１つのチャンネルを使って複数の子機に音声スロットをそれぞれ割り当てることで、複数の子機からの送話データを同時に送受信する。特に、ＰＡＧＥモードでは、複数の子機のうちの特定の子機の送話データに対して、音声スロットを優先的に割り当てる。従って、特定の子機から他の一般の子機への送話を確保できるとともに、それと同時に、空いている音声スロットを利用して、一般の子機からの送話も可能である。これにより、特定の子機の優先送話が一般の子機からの送話を阻害することなく、特定の子機から確実に他の子機に送話できる。例えば、上記の例で示したように、クラーク１及びクラーク２とキッチンとの間の通話を阻害することなく、マネージャから他のスタッフに対して確実に緊急の送話を行うことができる。
【００８８】
なお、上記の実施の形態では、マネージャ用子機２００ａ及びサブマネージャ用子機２００ｂのいずれか一方が優先送話を行っている場合には、優先送話を行っていない他方は、クラーク１用子機２００ｃ及びクラーク２用子機２００ｄと同様に、音声スロットが空いている限りにおいて、送話が可能であり、音声スロットの割り当ての優先権限を取得できなかったが、マネージャ用子機２００ａ及びサブマネージャ用子機２００ｂの両方に対して同時に優先送話を可能としてもよい。即ち、特定の子機が複数ある場合に、複数の特定の子機の音声データに対して同時に優先的に音声スロットを割り当ててもよい。
【００８９】
また、上記の実施の形態では、特定の子機であるマネージャ用子機２００ａ及びサブマネージャ用子機２００ｂには、他の子機にはない優先送話ボタン２１１が設けられており、即ち工場出荷時にすでに特定の子機であるか、一般の子機であるクラーク用の子機２００ｃ、２００ｄであるのかが区別されていたが、本発明はこれに限られない。携帯型インターカムとしてのすべての子機（上記の実施の形態では、子機２００ａ〜２００ｄ）に対して、優先送話ボタン２１１が設けられてよい。
【００９０】
この場合には、親機１００にて、どの子機を特定の子機とするか、即ちどの子機の優先送話ボタン２１１を有効とするかを管理する。即ち、親機１００は、マネージャ及びサブマネージャが用いる子機について、その優先送話ボタン２１１を有効にする。このために、親機１００には、書き換え可能な特定子機管理テーブルが記憶されている。特定子機管理テーブルは、各子機について、優先送話ボタンが有効であるか否かを規定している。親機１００は、子機からその子機のＩＤ情報とともに優先送話ボタンがオンであるというボタン状態情報を受けた場合に、特定子機管理テーブルを参照して、当該子機の優先送話ボタンが有効であるか否かを判断する。親機１００は、当該子機の優先送話ボタンが有効である場合にのみ、優先送話ボタンがオンであるというボタン状態情報に応じて通話モードをＰＡＧＥモードにする。
【００９１】
このようにすることで、すべての携帯型インターカムとしての子機を同一の構成とすることができ、この種の子機の製造コストを抑えることができる。また、複数の子機のうち、どの子機を特定の子機とするかを臨機応変に設定できる。例えば、サブマネージャが不在の場合には、クラーク１やクラーク２の子機を特定の子機とすることができる。また、サブマネージャを含めてすべての子機を特定の子機として、マネージャ及びサブマネージャ以外に対しては特に緊急のときにのみ優先送話を許可するという運用を採用してもよい。
【００９２】
特定子機管理テーブルは、親機１００にて書き換え可能（即ち、親機１００にて特定の子機の設定が可能）であってもよいし、マネージャ用子機２００ａに入力部を設けてマネージャ用子機から書き換え可能としてもよい。この場合には、書き換え情報は、マネーじぇ用子機２００ａから親機１００に送信される。
【００９３】
拡声ルーティングテーブルは、書き換え及び／又は追加が可能であってよい。特に、上記のように、複数の子機について特定の子機を任意に設定できる場合には、当該特定の子機の設定に応じて、拡声ルーティングテーブルも書き換えるか、新たに追加する必要がある。また、特定の子機と一般の子機が固定されている場合にも、拡声ルーティングテーブルを書き換え、又は追加することで、拡声ルーティングを変更し、又は追加することができるので、便利である。拡声ルーティングテーブルの書き換えや追加も、親機１００にて直接行なってもよいし、マネージャ用子機２００ａに入力部を設けてマネージャ用子機から行なえるようにしてもよい。
【００９４】
また、上記の実施の形態では、ＰＡＧＥモードにおいて、特定の子機について優先的に音声スロットを割り当て、その他の子機については優先的な音声スロットの割り当てを行わないようにしたが、優先度を複数のレベルに分けてもよい。例えば、マネージャ用子機、サブマネージャ用子機、リーダクラーク用子機、一般クラーク用子機に対して、この順に、段階的な優先度を定義してもよい。この場合、ＰＡＧＥモードにおいて複数の子機による音声スロットの優先割り当てが競合したときは、より優先度の高い子機に優先的にスロットが割り当てられる。
【００９５】
以上に現時点で考えられる本発明の好適な実施の形態を説明したが、本実施の形態に対して多様な変形が可能であり、そして、本発明の真実の精神と範囲内にあるそのようなすべての変形を添付の請求の範囲が含むことが意図されている。
【産業上の利用可能性】
【００９６】
以上のように、本発明にかかる無線通話システムは、親機が時分割多元接続方式を採用して、第１の通話モードにおいて、送話側の子機の送話データに優先的に一部のスロットを割り当てるので、親機が優先度の高い子機の送話データを確実に送信できるとともに、その他のスロットを用いて、優先度の低い子機も通話が可能であり、複数の子機が親機を介して互いに無線通話を行なう無線通話システム等として有用である。
【符号の説明】
【００９７】
１  無線通話システム
１００  親機
１０１  送信部
１０２  受信部
１０３  マルチプレクサ
１０４  制御部
１０５  メモリ
２００ａ  マネージャ用子機
２００ｂ  サブマネージャ用子機
２００ｃ  クラーク１用子機
２００ｄ  クラーク２用子機
２００ｅ  外線電話用子機
２００ｆ  キッチン用子機
２００ｇ  ドライブスルー用子機
２００ａ１、２００ｂ１、２００ｃ１、２００ｄ１  子機本体
２００ａ２、２００ｂ２、２００ｃ２、２００ｄ２  ヘッドセット
２０１  送信部
２０２  受信部
２０３  パケット生成部
２０４  メモリ
２０５  デマルチプレクサ
２０６  符号化部
２０７  制御部
２０８  復号化部
２０９  マイク
２１０  送話ボタン
２１１  優先送話ボタン
２１２  スピーカ
２１３  音声入力部
２１４  音声出力部
【図１】
2012124546.tif 000003
【図２】
2012124546.tif 000004
【図３】
2012124546.tif 000005
【図４】
2012124546.tif 000006
【図５】
2012124546.tif 000007
【図６】
2012124546.tif 000008
【図７】
2012124546.tif 000009
【図８】
2012124546.tif 000010
【図９】
2012124546.tif 000011
【図１０】
2012124546.tif 000012
【図１１】
2012124546.tif 000013
【手続補正書】
【提出日】平成23年10月28日(2011.10.28)
【手続補正１】
【補正対象書類名】特許請求の範囲
【補正対象項目名】全文
【補正方法】変更
【補正の内容】
【特許請求の範囲】
【請求項１】
親機及び複数の子機を備え、送話側の子機と受話側の子機とが親機を介して無線通話を行なう無線通話システムであって、
前記送話側の子機は、送話データを送信し、前記親機は、前記送話側の子機から送信された送話データを受信して、設定された通話モードに従って時分割多元接続方式で前記送話データにスロットを割り当てて、前記送話データを送信し、
更に、前記受話側の子機は、前記親機から送信された送話データを受信して、前記送話データを再生し、
前記通話モードは、前記親機が、前記送話側の子機の優先度に応じて、当該送話側の子機の送話データに優先的に一部の前記スロットを割り当てる第１の通話モードと、前記親機が、前記送話側の子機の優先度に関らず、前記送話側の子機から受信した送話データに前記スロットを割り当てる第２の通話モードと、を含み、
前記送話側の子機は、前記送話データとともに、自己を特定する識別情報を送信し、前記親機は、いずれの子機がいずれの子機に対して送話可能であるかを規定する情報を、前記第１の通話モード及び前記第２の通話モードのそれぞれについて有し、前記送話側の子機から前記送話データとともに送信された前記識別情報に基づいて、当該送話データを送信した子機を特定し、設定された通話モードに対応する前記いずれの子機がいずれの子機に対して送話可能であるかを規定する情報に従って、前記特定された子機の送話データにスロットを割り当てることを特徴とする無線通話システム。
【請求項２】
前記いずれの子機がいずれの子機に対して送話可能であるかを規定する情報は、拡声ルーティングテーブルの形式であることを特徴とする請求項１に記載の無線通話システム。
【請求項３】
前記拡声ルーティングテーブルは、書き換え可能であることを特徴とする請求項２に記載の無線通話システム。
【請求項４】
親機及び複数の子機を備え、当該複数の子機同士が時分割方式により親機を介して通話を行なう無線通話システムであって、
当該無線通話システムは、前記親機が、前記送話側の子機の優先度に応じて、当該送話側の子機の送話データに優先的に一部のスロットを割り当てる第１の通話モードと、前記親機が、前記送話側の子機の優先度に関らず、前記送話側の子機から受信した送話データに前記スロットを割り当てる第２の通話モードと、を有し、
前記親機は、いずれの子機がいずれの子機に対して送話可能であるかを規定し、
前記各子機は、前記送話データとともに自己を特定する識別情報を前記親機に送信し、
前記親機は、前記子機からの上記識別情報によって送信した子機を特定し、当該特定された子機が他のいずれの子機と送話可能であるかを判断し、当該送話可能と判断された子機と上記送信した子機との間に上記スロットを割り当てることを特徴とする無線通話システム。
【請求項５】
前記親機が規定する送話可能な子機は、変更可能なことを特徴とする請求項４記載の無線通話システム。
【請求項６】
前記親機は、前記第１の通話モード及び第２の通話モードにて、いずれの子機がいずれの子機に対して送話可能であるかを規定することを特徴とする請求項４記載の無線通話システム。
【請求項７】
前記親機は、前記子機の各識別情報に従って分類された複数の属性に基づいて、いずれの子機がいずれの子機に対して送信可能であるかを規定することを特徴とする請求項４記載の無線通話システム。
【手続補正書】
【提出日】平成24年2月14日(2012.2.14)
【手続補正１】
【補正対象書類名】特許請求の範囲
【補正対象項目名】全文
【補正方法】変更
【補正の内容】
【特許請求の範囲】
【請求項１】
親機及び複数の子機を備え、送話側の子機と受話側の子機とが親機を介して無線通話を行なう無線通話システムであって、
前記送話側の子機は、送話データを送信し、前記親機は、前記送話側の子機から送信された送話データを受信して、設定された通話モードに従って時分割多元接続方式で前記送話データにスロットを割り当てて、前記送話データを送信し、
更に、前記受話側の子機は、前記親機から送信された送話データを受信して、前記送話データを再生し、
前記通話モードは、前記親機が、前記送話側の子機の優先度に応じて、当該送話側の子機の送話データに優先的に一部の前記スロットを割り当てる第１の通話モードと、前記親機が、前記送話側の子機の優先度に関らず、前記送話側の子機から受信した送話データに前記スロットを割り当てる第２の通話モードと、を含み、
前記送話側の子機は、前記送話データとともに、自己を特定する識別情報を送信し、前記親機は、いずれの子機がいずれの子機に対して送話可能であるかを規定する情報を、前記第１の通話モード及び前記第２の通話モードのそれぞれについて有し、前記送話側の子機から前記送話データとともに送信された前記識別情報に基づいて、当該送話データを送信した子機を特定し、設定された通話モードに対応する前記いずれの子機がいずれの子機に対して送話可能であるかを規定する情報に従って、前記特定された子機の送話データにスロットを割り当てることを特徴とする無線通話システム。
【請求項２】
前記いずれの子機がいずれの子機に対して送話可能であるかを規定する情報は、拡声ルーティングテーブルの形式であることを特徴とする請求項１に記載の無線通話システム。
【請求項３】
前記拡声ルーティングテーブルは、書き換え可能であることを特徴とする請求項２に記載の無線通話システム。